(57)【要約】【課題】タッチパネルを用いてユーザからの入力を受け付ける場合に、タッチパネルに対するドラッグ操作によって、タッチパネルの表示画面の表示内容を移動させることができる入力装置及びこの入力装置を備える画像形成装置を提供する。【解決手段】拡大ボタンが押下された場合、タッチパネル３１に表示されたボタン又はメニュー等を表示領域５１に拡大表示すると共に、ドラッグモード指定領域５４を表示する。ユーザがドラッグモード指定領域５４に接触した状態で表示領域５１に接触し、表示領域５１への接触位置を移動させた場合、移動方向及び移動距離に応じてタッチパネル３１のボタン又はメニュー等の表示を移動させる。ドラッグモード指定領域５４にユーザが接触していない状態で表示領域５１に接触した場合、接触位置のボタン又はメニュー等に応じた処理を行う。【選択図】図４
2007293511.tif 000002
【特許請求の範囲】
【請求項１】
操作部を表示する表示画面と、該表示画面への接触を検知する検知手段とを有するタッチパネルを備える入力装置において、
前記表示画面への接触を前記検知手段が検知した場合に前記表示画面に表示された前記操作部への操作を受け付ける第１の状態、及び、前記操作部への操作を受け付けずに前記表示画面の表示内容の一部又は全部を移動させる操作を受け付ける第２の状態を切り替える状態切替手段と、
該状態切替手段による状態の切替操作を受け付ける切替操作部と
を備えることを特徴とする入力装置。
【請求項２】
前記表示画面への接触位置が移動した場合に、前記検知手段の検知結果により接触位置の移動方向を検出する移動方向検出手段及び移動距離を検出する移動距離検出手段を備え、
前記第２の状態では、検出された移動方向及び移動距離に応じて、前記表示画面の表示内容を移動させるようにしてある請求項１に記載の入力装置。
【請求項３】
前記切替操作部は、前記表示画面に表示され、前記第１の状態及び前記第２の状態で操作を受け付けることが可能にしてある請求項１又は請求項２に記載の入力装置。
【請求項４】
前記表示画面の表示内容を拡大又は縮小する拡大縮小手段と、
該拡大縮小手段により表示内容を拡大又は縮小させる操作を受け付ける拡大縮小操作部と
を備え、
前記切替操作部は、前記拡大縮小手段によって表示内容が所定の大きさ以上に拡大された場合に、前記表示画面に表示されるようにしてある請求項３に記載の入力装置。
【請求項５】
前記切替操作部は、前記表示画面に表示される前記操作部とは別の操作部として設けてある請求項１又は請求項２に記載の入力装置。
【請求項６】
請求項１乃至請求項５のいずれか１つに記載の入力装置を備え、該入力装置が受け付けた操作に応じて画像形成処理を行うことを特徴とする画像形成装置。
【発明の詳細な説明】
【技術分野】
【０００１】
本発明は、タッチパネルを備えて、表示画面に表示されたボタン又はメニュー等の操作部への操作を受け付けることができる入力装置、及びこの入力装置を備える画像形成装置に関する。
【背景技術】
【０００２】
従来から、ＰＣ（パーソナルコンピュータ）及びＷＳ（ワークステーション）等のコンピュータ機器は、キーボード及びマウス等のユーザの操作を受け付ける装置を備えている。ユーザはキーボードを利用して文字の入力を行うことができ、マウスを利用してディスプレイに表示されたアイコン又はメニュー等の選択を行うことができる。ディスプレイ及びマウスによる操作環境は、所謂ＧＵＩ（Ｇｒａｐｈｉｃａｌ  Ｕｓｅｒ  Ｉｎｔｅｒｆａｃｅ）と呼ばれ、コンピュータ機器に不慣れなユーザであっても、簡単に操作を行うことができるという利点がある。
【０００３】
特許文献１においては、印刷用紙に印刷される画像データ及びこの画像データの印刷位置を取得して、表示装置に印刷用紙及び画像データをプレビュー表示し、ポインティングデバイスのドラッグアンドドロップ機能によりユーザに画像データの印刷位置を調整させて、画像データを調整後の印刷位置に印刷する印刷指令を印刷装置へ与える画像処理装置が提案されている。
【０００４】
特許文献２においては、マウスに対するユーザの操作がクリックであるかドラッグであるかを判別し、クリックの場合には画面上に表示されている画像の拡大縮小を行い、ドラッグの場合には画像の移動を行うことにより、煩雑な操作を要することなく、簡単に、画像の拡大縮小及び移動を繰り返し行うことを可能とするマウスによる画像表示制御装置が提案されている。
【０００５】
このように、マウスによるクリック、ダブルクリック及びドラッグ等の機能を利用することによって、多種多様な操作を簡単に行うことができるが、マウスによる操作を行うためには机上などの一定以上の広い操作スペースが必要であり、この操作スペースを確保することが難しい場合にはマウスによる操作を行うことができないため、例えばコピー機、プリンタ又はファクシミリ装置等の電気機器はマウスを備えていない場合が多い。しかし、近年これらの電気機器は多機能化しており、操作環境としてＧＵＩを備えて、機器に不慣れなユーザであっても操作を簡単に行うことができるようにすることが望まれる。
【０００６】
このための一手法として、タッチパネルを用いる方法がある。メニュー又はアイコン等を表示する液晶パネルへの接触を検知するセンサを設けることによって、ユーザは表示されたメニュー又はアイコンに触れることで操作を行うことができるため、機器に不慣れなユーザであっても操作を簡単に行うことができるという利点がある。
【特許文献１】特開２０００−３５４１５７号公報
【特許文献２】特開２００３−３３７９５２号公報
【発明の開示】
【発明が解決しようとする課題】
【０００７】
しかしながら、マウスを用いる場合とタッチパネルを用いる場合とでは、全く同じ操作を行うことができるとは限らず、例えばタッチパネルではデバイスの構造によりドラッグ操作を行うことができない場合がある。ドラッグ操作は、画面に表示された画像の一部又は全部を移動させる場合に主として行われる操作であり、画像を拡大表示した場合に表示位置を移動させるなどの目的で用いられる。コピー機、プリンタ又はファクシミリ装置等の電気機器に備えられるタッチパネルはサイズが小さい場合が多く、液晶パネルに表示されたメニュー又はアイコン等を拡大して表示する機能をこれらの電気機器が備えることが望まれるが、ドラッグ操作を行うことができないタッチパネルを用いている場合には、拡大表示後に表示位置を移動させることが難しく、操作性を悪化させる虞がある。
【０００８】
本発明は、斯かる事情に鑑みてなされたものであって、その目的とするところは、メニュー又はアイコン等の操作部を表示する表示画面と、表示画面への接触を検知する手段とを有するタッチパネルを用いてユーザからの入力を受け付ける場合に、操作部への操作を受け付ける第１の状態と、表示画面の表示内容の一部又は全部を移動させる操作を受け付ける第２の状態とを、切替操作部への操作に応じて切り替える構成とすることにより、操作部への操作と表示内容の移動とを簡単に切り替えて行うことができる入力装置を提供することにある。
【０００９】
また本発明の他の目的とするところは、表示画面への接触位置が移動した場合に、移動方向及び移動距離を検出し、これに応じて表示画面の表示内容を移動させる構成とすることにより、表示内容の移動を簡単に行うことができる入力装置を提供することにある。
【００１０】
また本発明の他の目的とするところは、タッチパネルの表示画面に切替操作部を表示して操作を受け付ける構成とすると共に、第１の状態及び第２の状態の両状態で切替操作部を操作することが可能な構成とすることにより、切替操作部を簡単に実現することができると共に、切替操作部を必要な場合にのみ表示画面に表示して操作可能とすることができる入力装置を提供することにある。
【００１１】
また本発明の他の目的とするところは、拡大縮小操作部の操作に応じて表示画面の表示内容を拡大又は縮小し、表示内容が所定の大きさ以上に拡大された場合に、切替操作部を表示画面に表示する構成とすることにより、表示内容が拡大され、拡大位置の移動を行う必要が生じる場合に切替操作部を表示することができる入力装置を提供することにある。
【００１２】
また本発明の他の目的とするところは、切替操作部をタッチパネルにより実現される操作部とは別に、ボタン又はスイッチ等の別の操作部として設ける構成とすることにより、表示画面により多くの情報を表示することができる入力装置を提供することにある。
【００１３】
また本発明の他の目的とするところは、上述の入力装置を備えることにより、操作に不慣れなユーザであっても簡単に操作を行うことができる画像形成装置を提供することにある。
【課題を解決するための手段】
【００１４】
第１発明に係る入力装置は、操作部を表示する表示画面と、該表示画面への接触を検知する検知手段とを有するタッチパネルを備える入力装置において、前記表示画面への接触を前記検知手段が検知した場合に前記表示画面に表示された前記操作部への操作を受け付ける第１の状態、及び、前記操作部への操作を受け付けずに前記表示画面の表示内容の一部又は全部を移動させる操作を受け付ける第２の状態を切り替える状態切替手段と、該状態切替手段による状態の切替操作を受け付ける切替操作部とを備えることを特徴とする。
【００１５】
本発明においては、メニュー又はアイコン等の操作部を表示する表示画面と、表示画面への接触を検知する手段を有するタッチパネルを用いて、ユーザからの入力を受け付ける。表示画面に表示された操作部への操作を受け付ける第１の状態と、表示画面の表示内容の一部又は全部を移動させる操作を受け付ける第２の状態とを、切替操作部への操作に応じて切り替える。第１の状態では、メニュー又はアイコン等の操作部を選択して、操作部に対応する処理を実行させることができる。第２の状態では、表示画面に表示された操作部の表示位置を移動させることができる。
【００１６】
また、第２発明に係る入力装置は、前記表示画面への接触位置が移動した場合に、前記検知手段の検知結果により接触位置の移動方向を検出する移動方向検出手段及び移動距離を検出する移動距離検出手段を備え、前記第２の状態では、検出された移動方向及び移動距離に応じて、前記表示画面の表示内容を移動させるようにしてあることを特徴とする。
【００１７】
本発明においては、表示画面への接触位置が移動した場合に、移動方向及び移動距離を検出する手段を設ける。例えば接触位置が表示画面の上方へ移動した場合には、表示内容を上方へ、接触位置の移動距離だけ移動させるなど、これらの検出手段による検出結果に応じた移動を行うことができる。即ち、タッチパネルを利用した入力装置にて、所謂ドラッグ操作を行うことができる。
【００１８】
また、第３発明に係る入力装置は、前記切替操作部が、前記表示画面に表示され、前記第１の状態及び前記第２の状態で操作を受け付けることが可能にしてあることを特徴とする。
【００１９】
本発明においては、切替操作部をタッチパネルの表示画面に表示し、タッチパネルを利用して操作を受け付ける構成とする。これにより、切替操作部を簡単に実現でき、必要に応じて切替操作部の表示／非表示を変更することができる。また、この場合には、第１の状態及び第２の状態の両状態で切替操作部を操作できる構成とし、第２の状態であっても切替操作部への操作を行うことができるようにする。これにより、第２の状態から第１の状態への切り替えを行うことができる。
【００２０】
また、第４発明に係る入力装置は、前記表示画面の表示内容を拡大又は縮小する拡大縮小手段と、該拡大縮小手段により表示内容を拡大又は縮小させる操作を受け付ける拡大縮小操作部とを備え、前記切替操作部は、前記拡大縮小手段によって表示内容が所定の大きさ以上に拡大された場合に、前記表示画面に表示されるようにしてあることを特徴とする。
【００２１】
本発明においては、拡大縮小操作部の操作に応じて、表示画面の表示内容を拡大又は縮小させる。表示内容の拡大を行って、表示内容が所定の大きさ以上に拡大された場合に、表示内容の移動を行うことが可能となるように、切替操作部を表示画面に表示する。表示内容の移動を行う必要が生じる虞がある場合に、確実に切替操作部を表示し、表示内容を移動させる操作を受け付けることが可能な状態とすることができる。
【００２２】
また、第５発明に係る入力装置は、前記切替操作部が、前記表示画面に表示される前記操作部とは別の操作部として設けてあることを特徴とする。
【００２３】
本発明においては、切替操作部を、例えばボタン又はスイッチ等を用いて実現する。これにより、第１の状態及び第２の状態の切り替えを常に行うことができる構成とする場合に、表示画面の表示領域の一部分を切替操作部が占有することがないため、表示画面をより広く用いて、より多くの情報を表示することができる。
【００２４】
また、第６発明に係る画像形成装置は、上述のいずれか１つの入力装置を備え、該入力装置が受け付けた操作に応じて画像形成処理を行うことを特徴とする。
【００２５】
本発明においては、例えばコピー機、プリンタ又はファクシミリ装置等の画像形成装置に、上述の入力装置を搭載し、これにより受け付けた操作に応じて処理を行わせる。コピー機、プリンタ又はファクシミリ装置等の画像形成装置に備えられるタッチパネルは、小型のものである場合が多いが、この場合であっても上述の入力装置により、小型のタッチパネルを有効に利用して、ユーザの操作を受け付けることができる。
【発明の効果】
【００２６】
第１発明による場合は、メニュー又はアイコン等の操作部を表示する表示画面と、表示画面への接触を検知する手段とを有するタッチパネルを用いてユーザからの入力を受け付ける場合に、表示画面に表示された操作部への操作を受け付ける第１の状態と、表示画面の表示内容の一部又は全部を移動させる操作を受け付ける第２の状態とを、切替操作部の操作に応じて切り替える構成とすることにより、第１の状態では、メニュー又はアイコン等の操作部を選択して、操作部に対応する処理を実行させることができ、第２の状態では、表示画面に表示された操作部の表示位置を移動させることができるため、操作部への操作と表示内容の移動とを簡単に切り替えて行うことができ、入力装置の利便性を向上できる。
【００２７】
また、第２発明による場合は、表示画面への接触位置が移動した場合に、移動方向及び移動距離を検出し、これに応じて表示画面の表示内容を移動させる構成とすることにより、タッチパネルを利用した入力装置にて、所謂ドラッグ操作を行うことができるため、入力装置の利便性を向上できる。
【００２８】
また、第３発明による場合は、タッチパネルの表示画面に切替操作部を表示し、タッチパネルを利用して操作を受け付ける構成とすることにより、切替操作部を簡単に実現でき、必要に応じて切替操作部の表示／非表示を変更することができる。また、第１の状態及び第２の状態の両状態で切替操作部を操作できる構成とすることにより、第２の状態から第１の状態への切り替えを確実に行うことができる。よって、入力装置の利便性を向上できる。
【００２９】
また、第４発明による場合は、拡大縮小操作部の操作に応じて表示画面の表示内容を拡大又は縮小し、表示内容が所定の大きさ以上に拡大された場合に、切替操作部を表示画面に表示する構成とすることにより、表示内容の移動を行う必要が生じる虞がある場合に、確実に切替操作部を表示し、表示内容を移動させる操作を受け付けることが可能な状態とすることができるため、入力装置の利便性を向上できる。
【００３０】
また、第５発明による場合は、切替操作部をタッチパネルにより実現される操作部とは別に、ボタン又はスイッチ等の別の操作部として設ける構成とすることにより、第１の状態及び第２の状態の切り替えを常に行うことができる構成とする場合に、表示画面の表示領域の一部分を切替操作部が占有することがなく、表示画面をより広く用いて、より多くの情報を表示することができるため、表示画面の視認性を向上できる。
【００３１】
また、第６発明による場合は、画像形成装置に上述の入力装置を搭載し、これにより受け付けた操作に応じて処理を行わせることにより、画像形成装置に備えられた小型の表示画面を有効に利用してユーザの操作を受け付けることができるため、画像形成装置の利便性を向上することができ、表示画面の視認性を向上することができる。
【発明を実施するための最良の形態】
【００３２】
以下、本発明をその実施の形態を示す図面に基づき具体的に説明する。図１は、本発明に係る画像形成装置の構成を示すブロック図である。本発明に係る画像形成装置１は、読取部１３にて読み取った原稿を記録部１４にて印刷用紙に記録する所謂コピー機能と、読取部１３にて読み取った原稿をＰＳＴＮ（Ｐｕｂｌｉｃ  Ｓｗｉｔｃｈｅｄ  Ｔｅｌｅｐｈｏｎｅ  Ｎｅｔｗｏｒｋ、公衆電話回線網）を介して他の装置へ送信する所謂ファクシミリ機能と、ＬＡＮ（Ｌｏｃａｌ  Ａｒｅａ  Ｎｅｔｗｏｒｋ）を介して接続されたＰＣから与えられる原稿データを記録部１４にて印刷用紙に記録する所謂プリンタ機能とを備える複合機である。
【００３３】
図において１０は、画像形成装置１に備えられたＮＣＵ（Ｎｅｔｗｏｒｋ  Ｃｏｎｔｒｏｌ  Ｕｎｉｔ）１１、モデム１２、読取部１３、記録部１４、ＰＣインタフェース部１５、ＲＯＭ１６、ＲＡＭ１７、画像メモリ１８及び操作受付部３０等の各部の制御を行う制御部であり、制御部１０と各部とはバス２０を介して接続されている。制御部１０は、具体的にはＣＰＵで構成されており、画像形成装置１に備えられた上述の各部を制御すると共に、ＲＯＭ１６に記憶された制御プログラムにしたがって、種々のソフトウェア的機能を実行するようにしてある。
【００３４】
ＮＣＵ１１及びモデム１２は、バス２０を介さずにデータの授受を直接行うことができるようにしてある。ＮＣＵ１１は、ＰＳＴＮとの回線の閉結及び開放の動作を行うハードウェアであり、必要に応じてモデム１２をＰＳＴＮに接続するようにしてある。これにより、画像形成装置１は、ＰＳＴＮを介して他のファクシミリ機能を有する装置と接続され、ファクシミリ通信を行うことができるようにしてある。
【００３５】
読取部１３は、例えばＣＣＤ（Ｃｈａｒｇｅ  Ｃｏｕｐｌｅｄ  Ｄｅｖｉｃｅ）を利用した光学系で原稿を読み取り、読み取った原稿を基にした画像データを出力するようにしてある。記録部１４は、電子写真方式のプリンタ装置であって、読取部１３にて読み取った原稿の画像データ、ファクシミリ通信により受信した画像データ又はＰＣから与えられた画像データ等に応じた画像を印刷用紙に印刷するようにしてある。ＰＣインタフェース部１５は、社内ＬＡＮ又は家庭内ＬＡＮ等のＬＡＮに接続し、ＬＡＮを介してＰＣから送信された印刷用の画像データを受信するものであるが、ＵＳＢ（Ｕｎｉｖｅｒｓａｌ  Ｓｅｒｉａｌ  Ｂｕｓ）ケーブル又はパラレルケーブル等によりＰＣとの接続を行う構成であってもよい。
【００３６】
ＲＯＭ１６は、画像形成装置１の動作に必要な種々のソフトウェアの制御プログラムが記憶されており、マスクＲＯＭ、ＥＥＰＲＯＭ又はフラッシュメモリ等の不揮発性のメモリ素子により構成されている。ＲＡＭ１７は、上述の制御プログラムの実行時に発生する一時的なデータを記憶するものであり、ＳＲＡＭ、ＤＲＡＭ又はフラッシュメモリ等の書き換え可能なメモリ素子により構成されている。画像メモリ１８もまた、ＳＲＡＭ、ＤＲＡＭ又はフラッシュメモリ等の書き換え可能なメモリ素子により構成され、読取部１３が読み取って得られた画像データ、ファクシミリ機能を有する他の装置から受信した画像データ又はＰＣから与えられた画像データ等を一時的に記憶するものである。
【００３７】
また、画像形成装置１は、ユーザによる操作の受け付けを行うための操作受付部３０を備えており、制御部１０は操作受付部３０が受け付けたユーザの操作に応じて処理を行うようにしてある。操作受付部３０は、液晶パネル３２と、これを覆って設けられるタッチセンサ３３とを有するタッチパネル３１を備えており、ユーザに対するメッセージ又は画像形成装置１の動作状態等を液晶パネル３２に表示すると共に、画像形成装置１に処理を行わせるためのメニュー、ボタン又はアイコン等を表示し、ユーザが液晶パネル３２の画面上に表示されたメニュー、ボタン又はアイコン等に触れたことをタッチセンサ３３で検知して、ユーザからの操作を受け付けることができるようにしてある。タッチパネル３１には、例えばアナログ抵抗膜方式のタッチパネルを用いることができる。アナログ抵抗膜方式のタッチパネルは、対向して配される２枚の薄いフィルムの対向面にそれぞれ透明導電物質であるＩＴＯ（Ｉｎｄｉｕｍ  Ｔｉｎ  Ｏｘｉｄｅ）が製膜され、２枚のフィルムの間に複数のドットスペーサが並設されたものであり、ユーザがタッチパネルに触れた場合に、２枚のフィルムのＩＴＯ膜が接触して導通し、接触を感知することができるようにしてある。
【００３８】
また、操作受付部３０は、タッチパネル３１によるユーザからの操作の受け付けのほかに、タッチパネル３１の周囲に設けられたハードウェアキーを備えて、ハードウェアキーによるユーザからの操作の受け付けを行うことができるようにしてある。このハードウェアキーには、例えば電源ボタンと、ファクシミリ送信の送信先としてファクシミリ番号を入力するためのテンキーと、ファクシミリ機能、コピー機能又はプリンタ機能のいずれかを選択するための選択ボタンとが設けられ、また、液晶パネル３２に表示された文字又は画像等の拡大を行う拡大ボタン３５と、縮小を行う縮小ボタン３６とが設けられている。拡大ボタン３５及び縮小ボタン３６を用いて、ユーザは好みの大きさに液晶パネル３２の表示を変更することができるようにしてある。
【００３９】
図２は、本発明に係る画像形成装置１の操作受付部３０の一構成例を示す模式図である。操作受付部３０は、図示は省略するが画像形成装置１の略直方体形をなす筐体の上面の正面側に設けられ、略長方形の配置領域の中にタッチパネル３１及び複数のボタン等が配置されている。操作受付部３０の配置領域の略中央に略長方形のタッチパネル３１が配され、タッチパネル３１の左側にはコピーボタン４１、ＦＡＸボタン４２及びプリンタボタン４３の３つの機能切替用のボタンが配されている。３つのボタンのいずれかを押下することにより、画像形成装置１のコピー機能、ファクシミリ機能又はプリンタ機能の設定メニューが液晶パネル３２に表示され、設定を行うことができるようにしてある。
【００４０】
タッチパネル３１の右側には、１２個のボタンが格子状に並べて設けられ、ファクシミリ通信の送信先の入力、コピー枚数又は各種設定値等を入力するためのテンキー４４を構成している。また、テンキー４４の右側には、電源ボタン４５、スタートボタン４６及びストップボタン４７が配されている。電源ボタン４５は、画像形成装置１の電源のオン／オフを行うためのものであり、スタートボタン４６は、コピー又はファクシミリ通信等の処理の開始を指示するためのものであり、ストップボタン４７は、スタートボタン４６を押下することで開始されたコピー又はファクシミリ通信等の処理の停止を指示するためのものである。
【００４１】
タッチパネル３１の下側には、拡大ボタン３５及び縮小ボタン３６が並べて設けてある。拡大ボタン３５を押下することにより、液晶パネル３２の表示を拡大することができ、縮小ボタン３６を押下することにより、液晶パネル３２の表示を縮小することができるようにしてある。
【００４２】
図３は、本発明に係る画像形成装置１のタッチパネル３１の一表示例を示す模式図であり、ユーザがコピーボタン４１を押下してコピー機能に関するメニューを表示させた場合の例を示してある。図中の（ａ）は液晶パネル３２の標準表示（最小表示）状態を示したものであり、（ｂ）は拡大ボタン３５を押下して拡大表示させた状態を示したものである。液晶パネル３２の表示画面の上部には、画像形成装置１の状態又はユーザに対する警告等を表示するメッセージ領域が設けてあり、メッセージ領域の下の左側には、画質、濃度、倍率及び用紙サイズを設定するための４つのボタンが表示され、メッセージ領域の下の右側には、より詳細なコピーの条件を設定するためのメニューが表示されるようにしてある。
【００４３】
（ａ）の状態で、拡大ボタン３５を一回又は数回押下することによって、（ｂ）に示すようにメッセージ領域及び各種ボタンの一部を拡大して表示することができるようにしてある。なお、図示は省略するが、拡大表示は５段階〜１０段階程度で行うようにしてあり、拡大ボタン３５を押下する毎に段階的に拡大するようにしてある。また、拡大ボタン３５を押下して拡大表示を行った後、縮小ボタン３６を押下することによって拡大した表示を元に戻す、即ち縮小することができるようにしてある。
【００４４】
拡大ボタン３５を押下して拡大表示を行った場合、液晶パネル３２には、拡大したメッセージ及びボタン等を表示する略矩形の表示領域５１と、表示領域５１の右辺及び下辺に縦スクロールバー５２及び横スクロールバー５３と、横スクロールバー５３の下側にドラッグモード指定領域（詳細は後述する）５４とが表示されるようにしてある。表示領域５１には、上述のように、拡大されたメッセージ及び各種ボタンの一部が拡大して表示され、縦スクロールバー５２及び横スクロールバー５３を操作することによって、拡大表示の表示位置を移動させることができるようにしてある。
【００４５】
また、本発明に係る画像形成装置１は、タッチパネル３１に対する操作について、クリックモードとドラッグモードとの２つの操作受付状態を有しており、クリックモードでは、タッチセンサ３３により液晶パネル３２に表示されたボタンの表示位置にユーザの接触が検知された場合、接触位置に対応するボタンの処理又は設定等を行うようにしてある。ドラッグモードでは、タッチセンサ３３により検知された接触位置に対応するボタンの処理又は設定等を行わず、ユーザが接触位置を移動させた場合に、移動方向及び移動距離を検出し、これに応じて表示領域５１の拡大表示の表示位置を移動させることができるようにしてある。クリックモードとドラッグモードとの操作受付状態の変更は、ドラッグモード指定領域５４に触れることで行うことができるようにしてある。
【００４６】
図４は、本発明に係る画像形成装置１のドラッグモードでの表示位置の移動を説明するための模式図であり、図３（ｂ）の状態から表示位置を変更する場合を例に示してある。ユーザが一の指でドラッグモード指定領域５４に触れている場合、操作受付状態はドラッグモードとなり、この状態を保って他の指で表示領域５１に触れ、例えば図の矢印方向へ他の指を移動させる（図４（ｃ）参照）ことにより、移動方向及び移動距離に応じて表示領域５１に表示される拡大表示の表示位置が移動するようにしてある（図４（ｄ）参照）。なお、ドラッグモード指定領域５４は、ユーザの一の指が触れている間、白黒反転表示されるようにしてあり、操作受付状態がクリックモードであるかドラッグモードであるかを、ユーザにわかりやすく示すことができるようにしてある。また、縦スクロールバー５２及び横スクロールバー５３を用いて、表示領域５１に表示される拡大表示の表示位置の移動を行うことができるようにしてある。
【００４７】
図５は、本発明に係る画像形成装置１の制御部１０が行う液晶パネル３２の表示の拡大縮小処理の手順を示すフローチャートである。まず、制御部１０は、拡大ボタン３５が押下されたか否かを調べ（ステップＳ１）、押下されていない場合は（Ｓ１：ＮＯ）、更に縮小ボタン３６が押下されたか否かを調べる（ステップＳ２）。縮小ボタン３６が押下されていない場合（Ｓ２：ＮＯ）、ステップＳ１へ戻り、拡大ボタン３５又は縮小ボタン３６が押下されるまで待機する。
【００４８】
拡大ボタン３５が押下された場合（Ｓ１：ＹＥＳ）、液晶パネル３２の表示が最大表示であるか否かを調べる（ステップＳ３）。なお、最大表示とは、例えば拡大ボタン３５による拡大を１０段階で行うことができる場合に、拡大ボタン３５を１０回押下して、これ以上の拡大を行うことができない状態である。液晶パネル３２の表示が最大表示でない場合（Ｓ３：ＮＯ）、現在の表示を１段階拡大した拡大表示用データを作成し（ステップＳ４）、ドラッグモード指定領域５４を表示するためのデータを拡大表示用データに追加して（ステップＳ８）、液晶パネル３２に表示を行い（ステップＳ９）、処理を終了する。これにより、液晶パネル３２の表示が１段階拡大して表示されると共に、ドラッグモード指定領域５４が表示される。なお、縦スクロールバー５２及び横スクロールバー５３の表示については説明を省略したが、ドラッグモード指定領域５４を表示するためのデータの追加をステップＳ８で行う場合に、縦スクロールバー５２及び横スクロールバー５３を表示するためのデータを追加することで、縦スクロールバー５２及び横スクロールバー５３を表示することができる。また、ステップＳ３にて液晶パネル３２の表示が最大表示の場合には（Ｓ３：ＹＥＳ）、処理を終了する。
【００４９】
縮小ボタン３６が押下された場合（Ｓ２：ＹＥＳ）、液晶パネル３２の表示が最小表示であるか否かを調べる（ステップＳ５）。なお、最小表示とは、図３（ａ）に示した状態であり、これ以上縮小を行うことができない状態である。液晶パネル３２の表示が最小表示でない場合（Ｓ５：ＮＯ）、現在の表示を１段階縮小した縮小表示用データを作成し（ステップＳ６）、作成した縮小表示用データが最小表示であるか否かを調べる（ステップＳ７）。縮小表示用データが最小表示でない場合（Ｓ７：ＮＯ）、ドラッグモード指定領域５４を表示するためのデータを縮小表示用データに追加する（ステップＳ８）。縮小表示用データにドラッグモード指定領域５４を表示するためのデータを追加した後、又は縮小表示用データが最小表示の場合（Ｓ７：ＹＥＳ）、液晶パネル３２に表示を行い（ステップＳ９）、処理を終了する。また、ステップＳ５にて液晶パネル３２の表示が最小表示の場合（Ｓ５：ＹＥＳ）、処理を終了する。
【００５０】
図６は、本発明に係る画像形成装置１の制御部１０が行う操作受付状態の切替処理の手順を示すフローチャートである。まず、制御部１０は、図５に示す手順により液晶パネル３２にドラッグモード指定領域５４が表示されたか否かを調べ（ステップＳ２１）、表示されていない場合には（Ｓ２１：ＮＯ）、ドラッグモード指定領域５４が表示されるまで待機する。
【００５１】
ドラッグモード指定領域５４が表示された場合（Ｓ２１：ＹＥＳ）、タッチセンサ３３により、ドラッグモード指定領域５４にユーザの接触を検知したか否かを調べる（ステップＳ２２）。ドラッグモード指定領域５４にユーザの接触を検知した場合（Ｓ２２：ＹＥＳ）、操作受付状態をドラッグモードに設定し（ステップＳ２３）、ドラッグモード指定領域５４にユーザの接触を検知しない場合（Ｓ２２：ＮＯ）、操作受付状態をクリックモードに設定する（ステップＳ２４）。
【００５２】
操作受付状態を設定した後、ドラッグモード指定領域５４が非表示となったか否かを調べ（ステップＳ２５）、非表示となっていない場合は（Ｓ２５：ＮＯ）、ステップＳ２２へ戻り、操作受付状態の設定を繰り返し行う。ドラッグモード指定領域５４が非表示となった場合（Ｓ２５：ＹＥＳ）、処理を終了する。
【００５３】
図７は、本発明に係る画像形成装置１の制御部１０が行うドラッグ操作受付処理の手順を示すフローチャートである。まず、制御部１０は、タッチセンサ３３により、表示領域５１にユーザの接触があるか否かを調べ（ステップＳ４１）、接触がない場合には（Ｓ４１：ＮＯ）、接触があるまで待機する。表示領域５１に接触がある場合（Ｓ４１：ＹＥＳ）、タッチセンサ３３から接触位置を取得し（ステップＳ４２）、操作受付状態がドラッグモードであるか否かを調べる（ステップＳ４３）。操作受付状態がドラッグモードでない場合（Ｓ４３：ＮＯ）、接触位置に応じたボタン又はメニューに従って処理を行い（ステップＳ４４）、処理を終了する。
【００５４】
操作受付状態がドラッグモードの場合（Ｓ４３：ＹＥＳ）、図示しないタイマにより計時を行って、所定時間が経過したか否かを調べ（ステップＳ４５）、所定時間が経過していない場合は（Ｓ４５：ＮＯ）、所定時間が経過するまで待機する。所定時間が経過した場合（Ｓ４５：ＹＥＳ）、タッチセンサ３３により、表示領域５１にユーザの接触があるか否かを調べる（ステップＳ４６）。接触がある場合（Ｓ４６：ＹＥＳ）、タッチセンサ３３から接触位置を取得し（ステップＳ４７）、前回取得した接触位置との比較を行って、移動方向の算出（ステップＳ４８）及び移動距離の算出（ステップＳ４９）を行う。次いで、得られた移動方向及び移動距離に応じて、表示領域５１の表示を移動させ（ステップＳ５０）、ステップＳ４５へ戻る。その後、所定時間毎に移動処理を行って、ステップＳ４６にて表示領域５１にユーザの接触がない場合には（Ｓ４６：ＮＯ）、処理を終了する。
【００５５】
以上の構成の画像形成装置１においては、タッチパネル３１によりユーザからの操作を受け付けることができ、液晶パネル３２に表示するボタン又はアイコン等を拡大して表示することができ、このときの表示をドラッグ操作によって移動させ、任意の位置を拡大表示させることができるため、操作性を向上させることができ、画像形成装置１の利便性を向上させることができる。また、ドラッグモード指定領域５４を、液晶パネル３２の表示が拡大された場合にのみ表示する構成とすることにより、液晶パネル３２を効率的に使用することができる。
【００５６】
なお、本実施の形態においては、拡大ボタン３５が押下されて液晶パネル３２の表示が拡大された場合に、ドラッグ操作を受け付ける構成としたが、これに限るものではなく、例えば画像形成装置１のファクシミリ機能にて、登録された送信先の一覧を表示するときに、送信先のリストをスクロールさせる必要がある場合など、その他の場合に、同様にしてドラッグモード指定領域５４を表示し、ドラッグ操作を受け付ける構成としてもよい。また、本実施の形態においては、画像形成装置１を例に説明を行ったが、本発明の適用は画像形成装置１に限るものではなく、ボタン又はメニュー等を表示可能な表示手段と、表示手段への接触を検知可能なタッチパネルとを備える機器であれば、同様の構成を適用することができる。
【００５７】
また、ボタン又はメニュー等の表示を液晶パネル３２により行う構成としたが、これに限るものではなく、ＣＲＴディスプレイ又はプラズマディスプレイ等の他の表示手段を用いる構成であってもよい。また、タッチパネル３１をアナログ抵抗膜方式のタッチパネルとしたが、これに限るものではなく、静電容量方式、超音波表面弾性波方式、赤外線遮光方式又は電磁誘導方式等の他の方式のタッチパネルであってもよい。また、図２に示した操作受付部３０の構成は一例であって、これに限るものではない。また、図３及び図４に示したボタン及びメニュー等の構成は一例であって、これに限るものではない。
【００５８】
また、液晶パネル３２の表示が拡大された場合にのみドラッグモード指定領域５４を表示する構成としたが、これに限るものではなく、常にドラッグモード指定領域５４を液晶パネル３２に表示する構成であってもよく、また、以下に示す変形例の構成であってもよい。
【００５９】
（変形例）
図８は、本発明の変形例に係る画像形成装置１の操作受付部１３０の一構成例を示す模式図である。変形例に係る画像形成装置１は、液晶パネル３２にドラッグモード指定領域５４を表示することに代えて、同様の機能を備えるドラッグモード指定ボタン１５４がハードウェアキーとして設けてある。ユーザがドラッグモード指定ボタン１５４を押下している場合、タッチパネル３１による操作受付状態がドラッグモードとなり、押下していない場合には操作受付状態がクリックモードとなるようにしてある。これにより、液晶パネル３２にドラッグモード指定領域５４を表示する必要がないため、液晶パネル３２をより効率よく使用することができるという利点がある。
【図面の簡単な説明】
【００６０】
【図１】本発明に係る画像形成装置の構成を示すブロック図である。
【図２】本発明に係る画像形成装置の操作受付部の一構成例を示す模式図である。
【図３】本発明に係る画像形成装置のタッチパネルの一表示例を示す模式図である。
【図４】本発明に係る画像形成装置のドラッグモードでの表示位置の移動を説明するための模式図である。
【図５】本発明に係る画像形成装置の制御部が行う液晶パネルの表示の拡大縮小処理の手順を示すフローチャートである。
【図６】本発明に係る画像形成装置の制御部が行う操作受付状態の切替処理の手順を示すフローチャートである。
【図７】本発明に係る画像形成装置の制御部が行うドラッグ操作受付処理の手順を示すフローチャートである。
【図８】本発明の変形例に係る画像形成装置の操作受付部の一構成例を示す模式図である。
【符号の説明】
【００６１】
１  画像形成装置
１０  制御部（状態切替手段）
３０  操作受付部（入力装置）
３１  タッチパネル
３２  液晶パネル（表示画面）
３３  タッチセンサ（検知手段）
３５  拡大ボタン（拡大縮小手段）
３６  縮小ボタン（拡大縮小手段）
４１  コピーボタン
４２  ＦＡＸボタン
４３  プリンタボタン
４４  テンキー
４５  電源ボタン
４６  スタートボタン
４７  ストップボタン
５１  表示領域
５２  縦スクロールバー
５３  横スクロールバー
５４  ドラッグモード指定領域（切替操作部）
１３０  操作受付部（入力装置）
１５４  ドラッグモード指定ボタン（切替操作部）
【図１】
2007293511.tif 000003
【図２】
2007293511.tif 000004
【図３】
2007293511.tif 000005
【図４】
2007293511.tif 000006
【図５】
2007293511.tif 000007
【図６】
2007293511.tif 000008
【図７】
2007293511.tif 000009
【図８】
2007293511.tif 000010